(57)【要約】【課題】板バネやコイルスプリング等のバネ材を増加せずにバインダー式のクリップ部材を有するノック式筆記具を提供する。【解決手段】回転カムによる出没機構を具備したノック式筆記具において、軸筒の後端部に、軸筒との接合部を支点とし、クリップ部材の先端部を軸筒から離間可能なクリップ部材を付設するとともに、該クリップ部材の先端部を軸筒から離間する動作に連動して傾動するクリップ部材の脚部を軸筒内まで延設し、該脚部の前方に、内壁にカム溝及び後端部に前記ノック体または押圧体に設けた当接部が当接しノック体または押圧体の軸筒後端方向への移動を規制する規制部を形成した摺動体を、前記脚部の傾動に連動して軸心方向に摺動可能に配設し、前記回転カムの前方に前記圧縮コイルスプリングを配設することにより、前記摺動体を軸筒後端方向に付勢して配設する。【選択図】          図１
2005238702.tif 000002
【特許請求の範囲】
【請求項１】
軸筒の後端部から突出したノック体を押圧することにより、該ノック体で直接またはノック体の前方に配設した押圧体によって回転カムを押圧し、回転カムに連動可能に、かつ圧縮コイルスプリングにより軸筒後端方向に付勢して配設した筆記体の筆記先端部を軸筒先端開口部から出没可能な回転カムによる出没機構を具備したノック式筆記具において、前記軸筒の後端部に、軸筒との接合部を支点とし、クリップ部材の先端部を軸筒から離間可能なクリップ部材を付設するとともに、該クリップ部材の先端部を軸筒から離間する動作に連動して傾動するクリップ部材の脚部を軸筒内まで延設し、該脚部の前方に、内壁にカム溝及び後端部に前記ノック体または押圧体に設けた当接部が当接しノック体または押圧体の軸筒後端方向への移動を規制する規制部を形成した摺動体を、前記脚部の傾動に連動して軸心方向に摺動可能に配設し、前記回転カムの前方に前記圧縮コイルスプリングを配設することにより、前記摺動体を軸筒後端方向に付勢して配設したことを特徴とするクリップ部材を有するノック式筆記具。
【請求項２】
前記脚部に、前記ノック体または押圧体を挿通する挿通孔を設けたことを特徴とする請求項１に記載のクリップ部材を有するノック式筆記具。
【請求項３】
前記脚部に、軸筒先端方向に伸びる凸部を形成したことを特徴とする請求項１または２に記載のクリップ部材を有するノック式筆記具。
【発明の詳細な説明】
【技術分野】
【０００１】
本発明は、バインダー式のクリップ部材を付設してなるノック式筆記具に関する。
【背景技術】
【０００２】
従来から、クリップ部材を有するノック式筆記具は、よく知られている。こうしたクリップ部材を有するノック式筆記具において、実開昭６３−５１７８８号公報「筆記クランプ用具」や特開２００１−１４６０９４号公報「筆記具のクリップ取付装置」に開示されているように、クリップ部材の先端部を軸筒から離間可能に配設し、板バネやねじりコイルスプリングの弾発力によって復元可能な、いわゆるバインダー式のクリップ構造はよく知られている。
【０００３】
こうしたバインダー式のクリップ部材は、前述したように、クリップ部材の先端部が離間した状態から復元するための板バネ、ねじりコイルスプリングや圧縮コイルスプリング等、新たなバネ材が必要である。
【特許文献１】「実開昭６３−５１７８８号公報」
【特許文献２】「特開２００１−１４６０９４号公報」
【発明の開示】
【発明が解決しようとする課題】
【０００４】
しかし、前述した板バネ、ねじりコイルスプリングや圧縮コイルスプリングは、金属部品で製造され、樹脂成形品に比べ、寸法精度が低く、コスト高であるため、バインダー式のクリップ部材を採用するには、金属部品の数が増加し、コスト高になってしまうため、低価格品には不向きであった。
【０００５】
ところで、軸筒の後端部から突出したノック体を押圧することにより、筆記体の筆記先端部を軸筒先端開口部から出没可能な回転カムによる出没機構を具備したノック式筆記具は、筆記体を軸筒後端に付勢して収納することが必要であり、その付勢力を得るために圧縮コイルスプリングを配設している。
【０００６】
本発明の目的は、上述した従来の問題点に鑑み、板バネ、ねじりコイルスプリングや圧縮コイルスプリング等のバネ材を増加せずにバインダー式のクリップ部材を有するノック式筆記具を提供することである。
【課題を解決するための手段】
【０００７】
本発明は、軸筒の後端部から突出したノック体を押圧することにより、該ノック体で直接またはノック体の前方に配設した押圧体によって回転カムを押圧し、回転カムに連動可能に、かつ圧縮コイルスプリングにより軸筒後端方向に付勢して配設した筆記体の筆記先端部を軸筒先端開口部から出没可能な回転カムによる出没機構を具備したノック式筆記具において、前記軸筒の後端部に、軸筒との接合部を支点とし、クリップ部材の先端部を軸筒から離間可能なクリップ部材を付設するとともに、該クリップ部材の先端部を軸筒から離間する動作に連動して傾動するクリップ部材の脚部を軸筒内まで延設し、該脚部の前方に、内壁にカム溝及び後端部に前記ノック体または押圧体に設けた当接部が当接しノック体または押圧体の軸筒後端方向への移動を規制する規制部を形成した摺動体を、前記脚部の傾動に連動して軸心方向に摺動可能に配設し、前記回転カムの前方に前記圧縮コイルスプリングを配設することにより、前記摺動体を軸筒後端方向に付勢して配設する。
【０００８】
また、前記脚部に、前記ノック体または押圧体を挿通する挿通孔を設ける。
【０００９】
また、前記脚部に、軸筒先端方向に伸びる凸部を形成する。
【発明の効果】
【００１０】
本発明のクリップ部材を有するノック式筆記具は、板バネ、ねじりコイルスプリングや圧縮コイルスプリング等のバネ材を増加せずにバインダー式のクリップ部材を有するノック式筆記具を提供することができた。
【発明を実施するための最良の形態】
【００１１】
ノック式筆記具において、バインダー式のクリップ部材を付設したノック式筆記具を、バネ材を増加せず、簡単な構造で実現した。
【実施例１】
【００１２】
図１から図６に示す クリップ部材を有するノック式筆記具１は、前軸２と後軸３を螺合した軸筒内に筆記体９（ボールペンレフィル）が収納されている。筆記体９の構造は、従来から知られているもので、インキ収容管１０内に筆記具用インキ（図示せず）を直に収容し、インキ収容管１０の先端部には、ボールを回転自在に抱持した筆記先端部１１（ボールペンチップ）を装着してある。
【００１３】
また、後軸３にはクリップ部材６を付設してある。クリップ部材６は、クリップ片６ａと後軸３の連結部を支点６ｃとし、クリップ部材６の先端部に形成した係止部６ｂを後軸３から離間可能に配設してある。また、クリップ部材６の脚部６ｄを後軸３内まで延設してあり、この脚部６ｄは、クリップ部材６の先端部に形成した係止部６ｂを後軸３から離間する動作に連動して傾動する。
【００１４】
脚部６ｄの前方には、内壁にカム溝（図示せず）を形成した摺動体７を、脚部６ｄの傾動に連動し軸心方向に摺動可能に配設してある。この摺動体７には、後端部を段状にすることによって縮径した規制部７ａを形成する。規制部７ａの内径は、ノック体５の鍔状に形成した当接部５ａより小径としてあり、この規制部７ａの前方に回転カム４及びノック体５の当接部５ａが位置するように配設する。そのため、回転カム４の前方に圧縮コイルスプリング８を配設することにより、回転カム４及びノック体５を後軸後端３ａ方向に付勢し、ノック体５の付勢力によって摺動体７も後軸後端３ａ方向に付勢される。
【００１５】
筆記先端部１１を前軸２の先端開口部２ａから出没させる機構は、従来から知られているもので、簡単に説明すると、摺動体７の内壁面に回転カム４を前後に摺動案内し回転させるためのカム溝（図示せず）を形成し、このカム溝に、回転カム４を係合して配設してある。回転カム４には筆記体９が圧入係合されており、回転カム４の前方に配設した圧縮コイルスプリング８により、筆記体９を後軸後端３ａ側に付勢して配設され、回転カム４の後端に、前記回転カム４に回転を付与するためのカム部（図示せず）を先端に有したノック体５を、ノック体５の後端部が後軸後端３ａより外方に突出した状態に配設し、このノック体５を押圧することにより、回転カム４をカム溝に沿って移動させ、筆記体９の筆記先端部１１を前軸２の先端開口部２ａから出没可能にした構造である。
【００１６】
図５に示すように、クリップ部材６と後軸３との接合部を支点６ｃとし、クリップ部材の先端部に形成した係止部６ｂを後軸３から離間（矢印Ａ方向）させると、この離間作動に連動して脚部６ｄが傾動（矢印Ｂ方向）し、この脚部６ｄの傾動に連動して、脚部６ｄの前方に配設した摺動体７は、前軸先端開口部２ａ方向に前進（矢印Ｃ方向）する。摺動体７が前進すると、摺動体７内に配設した回転カム４も前軸の先端開口部２ａ方向（矢印Ｃ方向）に前進し、回転カム４の前方に配設したコイルスプリング８を圧縮する。
【００１７】
脚部６ｄには、ノック体５を挿通する挿通孔６ｅを設けることにより、脚部６ｄは、ノック体を基準として、支点６ｃと反対側の後軸３内壁近傍まで脚部６ｄを長く延設することができ、この部分で摺動体７を軸心方向に摺動することにより、係止部６ｂの後軸３からの離間（矢印Ａ方向）が小さく、その結果、脚部６ｄの傾動が小さくてなっても、摺動体７を軸心方向に摺動する距離を長くしやすい。また、脚部６ｄに軸心方向に伸びる凸部６ｆを形成することにより、より摺動体７を軸心方向に摺動する距離を長くすることができるので好ましい。
【００１８】
図５に示す状態から、係止部６ｂの後軸３からの離間（矢印Ａ方向）する力がなくなると、圧縮していたコイルスプリング８が元の状態に戻り（矢印Ｃの逆方向）、このコイルスプリング８の元の状態に戻る弾発力によって、脚部６ｄを傾動（矢印Ｂの逆方向）させ、係止部６ｂを後軸３から離間した状態から元の状態に復元（矢印Ａの逆方向）し、図１に示す状態となる。
【００１９】
図３に示す、筆記先端部１１が前軸２の先端開口部２ａから突出した状態では、回転カム４及びノック体５も前軸２の先端開口部２ａ側に前進している。そのため、圧縮コイルスプリング８をさらに圧縮し、摺動体７に係る後軸後端側３ａへの付勢力が大きくなる。その結果、筆記先端部１１が前軸２の先端開口部２ａより没入した状態に比べ、筆記先端部１１が前軸２の先端開口部２ａから突出した状態のほうが、クリップ部材の先端部に形成した係止部６ｂを後軸３から離間（矢印Ａ方向）するのに必要な力が大きくなるので、筆記先端部１１が突出した状態である否か、クリップ部材の先端部に形成した係止部６ｂを後軸３から離間（矢印Ａ方向）させることで確認できる。
【００２０】
本実施例では便宜上、ノック体の先端部にカム部を一体に形成し、ノック体で直接、回転カムを押圧しているが、先端部にカム部を形成した押圧体を介して回転カムを押圧してもよい。また、本実施例では、摺動体の後端部を段状にして縮径し、ノック体の鍔状の当接部より小径の規制部を形成することにより、ノック体の軸筒後端方向への移動を規制する規制部としているが、摺動体の後端部に突部を形成したり、ノック体に形成した凸部を摺動体の凹部に係合する等、少なくとも回転カムの前方に配設した圧縮コイルスプリングにより、回転カム及びノック体または押圧体を軸筒後端方向に付勢し、摺動体の後端部に形成した規制部にノック体または押圧体の一部が当接し、摺動体を軸筒後端方向に付勢することができれば、当接部及び規制部の形状は特に限定されない。
【００２１】
また、本発明のバインダー式のクリップ部材は圧縮コイルスプリングの弾発力によって復元可能としているが、圧縮コイルスプリングは、従来使用されていた板バネやねじりコイルスプリングに比べ、耐久性が良好であり、長期間かつ繰り返し使用しても、初期の弾発力を得られるという効果も奏する。
【産業上の利用可能性】
【００２２】
本発明のクリップ部材を有するノック式筆記具は、油性インキ、剪断減粘性インキ、水性インキ等、インキの種類に限定されることなく実施でき、また、筆記先端部の形状や材質にも特定されることなく実施可能である。
【図面の簡単な説明】
【００２３】
【図１】本発明におけるクリップ部材を有するノック式筆記具を示す縦断面図である。
【図２】図１における、一部省略した要部拡大縦断面図である。
【図３】図１における、筆記先端部を突出状態とした縦断面図である。
【図４】図３における、一部省略した要部拡大縦断面図である。
【図５】クリップ片先端部の係止部を軸筒から離間した状態を示す縦断面図である。
【図６】図５における、一部省略した要部拡大縦断面図である。
【符号の説明】
【００２４】
１  クリップ部材を有するノック式筆記具
２  前軸
２ａ  先端開口部
３  後軸
３ａ  後軸後端部
４  回転カム
５  ノック体
５ａ  当接部
６  クリップ部材
６ａ  クリップ片
６ｂ  係止部
６ｃ  支点
６ｄ  脚部
６ｅ  挿通孔
６ｆ  凸部
７  摺動体
７ａ  規制部
８  圧縮コイルスプリング
９  筆記体
１１  筆記先端部
【図１】
2005238702.tif 000003
【図２】
2005238702.tif 000004
【図３】
2005238702.tif 000005
【図４】
2005238702.tif 000006
【図５】
2005238702.tif 000007
【図６】
2005238702.tif 000008